(57)【要約】【技術課題】集合住宅の共用ダクト内に戸別に排気管を施工する際に、すべての階について工事を１日で行ってしまい、後工事をしなくて済むようにする。また、共用ダクト内に林立した排気管が占める占有率を下げて共用ダクト内の空気の流量を確保する。【解決手段】横引き排気管１１と立上げ排気管１２をＬ字状に接続したものを屋上から共用ダクト２内に降ろして横引き排気管１１の元１１ａを各住戸の壁６の横引き排気管取付穴７内に挿入し、仮止めしておく。立上げ排気管１２の下端には開口部１４が設けられていて、燃焼器具２０が使用される前は、この開口部１４のダンパー１８は開いて立ち上げ排気管１２内を空気通路として用い、初めて燃焼器具が使用されると排気ガス熱で温度ヒューズ１８が溶解し、ダンパー１５を閉じて排気管として機能させる。【選択図】図２
2007155178.tif 000002
【特許請求の範囲】
【請求項１】
横引き排気管の先端に垂直方向に立ち上げた立上げ排気管を接続して排気管をＬ字状に形成すると共に、前記立上げ排気管の下端を開放して開口部を形成し、この開口部に、常温では開放していて、排気ガスが排気管内に流入して来ると前記開口部を自動閉塞するダンパーを取り付けた構成の排気管を屋上から共用ダクト内に降ろす、
次に、前記横引き排気管の元の位置が所定の階まで来たところで降ろすのを止めて、横引き排気管の元の方を住戸の壁に設けた横引き排気管取付穴内に仮止めてしておく、
次に、燃焼器具を設置したとき、この燃焼器具の排気口と前記横引き排気管の元の方を接続する、
ことを特徴とする集合住宅の共用ダクト内に排気管を施工する方法。
【請求項２】
横引き排気管の先端に立上げ排気管をＬ字状に接続すると共に、前記立上げ排気管の下端を開放して開口部を形成し、この開口部に、常時スプリングにより閉方向に賦勢されているダンパーを取り付け、更に、前記ダンパーを常温では開放した状態に維持し、排気管内に排気ガスが流れるとこの熱で作用することにより前記ダンパーを解放して前記開口部を閉塞するように制御する温度ヒューズを取り付けて成る共用ダクト用排気管。
【請求項３】
前記ダンパーを開に維持する温度ヒューズとして、低融点金属又はプラスチックが用いられていることを特徴とする請求項２に記載の共用ダクト用排気管。
【発明の詳細な説明】
【技術分野】
【０００１】
本発明は、マンション等のような集合住宅に施工されているＵ型と称される共用ダクト内に、強制給排気式燃焼器具の排気管を施工する方法及びこの施工に用いられる排気装置に関するものである。
【背景技術】
【０００２】
本件出願人は、集合住宅の共用ダクトを用いて行う強制給排気式燃焼器具の給排気装置について、特許第３６３４６６６号を取得している。
この特許発明は、集合住宅の場合、各住戸において共用できる共用ダクトと称される給排気ダクトが設けてあり、燃焼器具の給排気は、各階においてこの共用ダクト内に直接開設した給排気口で行う方式となっているが、このような共用ダクトの場合、最初の設計の段階では十分であっても、経年的に燃焼器具の使用台数が増加したり、容量が増えて給排気量が増大すると、共用ダクトでは給排気容量に不足が生じ、例えば低酸素濃度や排気圧の上昇に伴い不完全燃焼が発生したり、立消えが発生したりするという問題がある。また、
１．最初の設計段階でも給排気容量が不足している場合が多い。
２．経年的に燃焼器具の使用台数が増加したり大型化して給排気容量が不足するようにな  ることが多い。
３．系統（住戸）全員の賛同を得られないと共用ダクトの改修工事等ができない。
４．共用ダクト物件に設置可能なガス機器がほとんどなく、能力アップ等に対応できない  のが現状である。
５．共用ダクト物件は、その構造上設置ガス機器が限られているので、将来、経続的に管  理していかなければならい。
といった問題もある。
以上のような問題を解消するためには、共用ダクトの断面積を拡張する工事で対処することが考えられる。しかし、共用ダクトは共用部分であるため、改修工事等で対処する場合、各住戸全員の賛同を得る必要があり、これには時間と労力がかかる場合が多い。また、この工事は、建物の構造自体を変える大工事となり、実際には不可能である。
そこで、前記特許発明では、集合住宅の各階において、強制給排気式燃焼器具に結ばれた給気管の給気口は、前記集合住宅建設時に建物と一体に建設された既設のＵ型共用ダクト内に直接開設し、排気管は、前記共有ダクト内を立ち上げて、その上端の排気トップを、共用ダクトの排気開口部近傍に開設することにより、問題点を解消した。
【０００３】
しかし、上記特許発明の場合、給排気管を共用ダクト内に設置する工事は、全住戸について同日に行う場合は問題ないが、空き室があったり、工事時には燃焼器具が無い住宅においては、給排気工事ができなかったり、望まないケースもある。
このようなケースにおいて、もし、後から工事を行うようになると、既設の給排気管が共用ダクト内に林立していて、工事スペースを確保するのが困難になる。
また、上記のように工事をした後は、排気管が共用ダクト内に林立している状態となるため、排気管がダクトに占める占有率が上がり、給気通路としての断面積が不足して、新鮮な空気を十分に燃焼器具に供給できなくなるという問題が発生する。
【発明の開示】
【発明が解決しようとする課題】
【０００４】
本発明は、斯る点に鑑みて提供されるものであって、その第１の目的は、排気管の工事を行う場合には、すべての住戸分の排気管を、あらかじめ同日（同時）に施工してしまい、新規入居あるいは燃焼器具を新規に設置した場合には、各住戸にあらかじめ施工されている排気管にそのまま接続すれば良く、新たに共用ダクト内に排気管を施工する必要のない施工法を提供することである。
更に、第２の目的は、あらかじめ排気管の施工を行ってはあるが、未だ入居していない、あるいは燃焼器具が設置されず、排気管が使われていないものについては、排気管が占めるダクト内の占有率を縮小するために、この使用されていない排気管内にダクト内の空気を通すことでダクト内の空気の流通量を増大させて十分な空気を燃焼器具に供給することができる施工法及び排気管を提供することである。
【課題を解決するための手段】
【０００５】
上記目的を達成するため、請求項１に記載の発明においては、集合住宅の共用ダクト内に排気管を施工する方法において、横引き排気管の先端に垂直方向に立ち上げた立上げ排気管を接続して排気管をＬ字状に形成すると共に、前記立上げ排気管の下端を開放して開口部を形成し、この開口部に、常温では開放していて、排気ガスが排気管内に流入して来ると前記開口部を自動閉塞するダンパーを取り付けた構成の排気管を屋上から共用ダクト内に降ろす、
次に、前記横引き排気管の元の位置が所定の階まで来たところで降ろすのを止めて、横引き排気管の元の方を住戸の壁に設けた横引き排気管取付穴内に仮止めてしておく、
次に、燃焼器具を設置したとき、この燃焼器具の排気口と前記横引き排気管の元の方を接続する、
ことを特徴とするものである。
【０００６】
更に、請求項２に記載の発明においては、共用ダクト用排気管において、横引き排気管の先端に立上げ排気管をＬ字状に接続すると共に、前記立上げ排気管の下端を開放して開口部を形成し、この開口部に、常時スプリングにより閉方向に賦勢されているダンパーを取り付け、更に、前記ダンパーを常温では開放した状態に維持し、排気管内に排気ガスが流れるとこの熱で作用することにより前記ダンパーを解放して前記開口部を閉塞するように制御する温度ヒューズを取り付けて成ることを特徴とするものである。
【０００７】
更に、請求項３に記載の発明においては、請求項２に記載の共用ダクト用排気管において、前記ダンパーを開に維持する温度ヒューズとして、低融点金属又はプラスチックが用いられていることを特徴とするものである。
【０００８】
［作用］
排気管は、集合住宅の屋上であって、共用ダクトの排気開口部から、所定の階まで降ろし、所定の階に着いたところで、住戸側に横引き排気管を向け、住戸の壁に設けた横引き排気管取付穴内に横引き排気管の元の方を挿入し、燃焼器具がある場合にはこれに接続し、無い場合には仮止めを行っておく。
このような排気管の設置工事は、全住戸分について同日に行ってしまい、工事後には残さない。
【０００９】
各住戸において、燃焼器具が初めて使用されると、この排気ガスは、横引き排気管から立上げ排気管側に流れ、立上げ排気管のトップの排気口から大気中に排出される。
この排気の流れが発生すると、通常の排気ガス熱である１８０℃〜２５０℃の熱により、温度ヒューズが溶解する。この結果、ダンパーを強制的に止めているものがなくなり、ダンパーは解放されることから、スプリングの力で立上げ排気管の下端の開口部を閉塞する。この結果、立上げ排気管内は排気ガスのみが流れる。
【００１０】
一方、燃焼器具が最初に使われるまでの間の立上げ排気管の開口部は、ダンパーが開放したままであることから、共用ダクト内の空気はこの開口部から立上げ排気管内を通り、屋上の排気トップから大気中に流出する。
この結果、共用ダクト内には、立上げ排気管内を通過する空気と、共用ダクト内において、林立する立上げ排気管の間を通りながら上昇する空気の流れが生じ、これにより共用ダクト内には、大きな空気流が確保される。
【発明の効果】
【００１１】
本発明は以上のように、空き室あるいは燃焼器具が設置されていない場合でも、あらかじめ排気管を共用ダクト内に施工しておくため、後日排気管の設置工事を行う必要がない。この結果、追加工事が出来なくなるといった問題が解消する。
また、本発明によると、取付工事後、立上げ排気管内は、燃焼器具が使用されるまでは、そのまま共用ダクト内の空気の通路となり、排気管が共用ダクト内において占有面積を拡大し、空気の流れを阻害している問題を解消する。
また、立上げ排気管の下端に形成した開口部には温度ヒューズ付のダンパーが取り付けてあるため、燃焼器具が使用されると、排気ガス熱でこの温度ヒューズが溶解して、自動的にダンパーが開口部を閉塞するため、特別な手間がかからない。
【実施例】
【００１２】
図１〜図４に基づいて、本発明の実施例と、その作用を詳細に説明する。
図１は集合住宅に施工された共用ダクトと、この中に施工された本発明に係る排気管の説明図、図２は排気管の下端部であって、図１において一点鎖線の丸で囲まれた部分の拡大断面図、図３はＡ−Ａ′線断面図、図４は燃焼器具が使用されてダンパーが閉じた状態の説明図である。
【００１３】
上記図１において、符号の１は集合住宅、２はＵ型の共用ダクトであって、このＵ型共用ダクト２は、仕切壁３により給気通路４と排気通路５に仕切られていて、空気は、屋上の給気開口部から給気通路４内を下降し、ダクトの底でＵターンを行い、排気通路５から屋上の排気口を経由して大気中に流出する構成である。６は各住戸の壁、７は横引き排気管取付穴を示す。
【００１４】
１０は前記共用ダクト２内の排気通路５内に施工された排気管であって、この排気管１０は、各住戸ごとに設置されている。
この設置方法を説明すると、集合住宅１の屋上において、横引き排気管１１及び立上げ排気管１２を継いで長さを設定し、作業者は、立上げ排気管１２を手に持ち、又はワイヤーあるいはロープに吊るし、少しずつ共用ダクト２内に降ろして行き、所定の階まで来たところで止め、横引き排気管１１の元１１ａ側を各住戸の壁６に設けられた横引き排気管取付穴７内に挿入し、燃焼器具２０がある場合には、この燃焼器具２０の排気口２１に接続し、立上げ排気管１２は共用ダクト２に金具等を用いて固定し、工事を終える。
【００１５】
そして、例えば空き住戸Ａがある場合には、横引き排気管１１は壁６の横引き排気管取付穴７に仮止めだけをしておき、入居があり、燃焼器具２０が設置された場合、この横引き排気管１１を燃焼器具２０の排気口２１に接続する。
燃焼器具２０から延長された給気管２２は、その給気口２３を共用ダクト２内に臨ませるだけのため、室内から施工する。
上記のようにして排気管１０を施工した時点でのダンパー１５は、図２、図３に示すように、スプリング１７の力に抗して回転軸１６を中心に垂直方向に回転していて、この時、立上げ排気管１２の下端１３に形成した開口部１４は全開状態となっている。この結果、図２矢印ａに示すように、共用ダクト２内の空気は、開口部１４から立上げ排気管１２内を通り、排気トップ１２ａから大気中に流れ出て、共用ダクト２内の空気の流れを助長している。
【００１６】
そして、燃焼器具２０の使用が始まると、図４に示すように排気ガスが矢印ｂに示すように流れてきて、ダンパー１５の開放状態を維持していた温度ヒューズ１８を溶解する。この結果、ダンパー１５は解放されるため、スプリング１７の力で回転軸１６を中心にして回転し、図４に示すように開口部１４を閉塞し、空気の流入を止め、排気ガス専用の排気通路を立上げ排気管１２内につくる。
上記実施例において、温度ヒューズ１８として鉛を用いたが、一般の排気ガス温度である１８０℃〜２５０℃で溶解するものならば、その他の公知金属あるいはプラスチック等を用いてもよい。
【図面の簡単な説明】
【００１７】
【図１】本発明に係る排気管を施工した集合住宅の共用ダクトの説明図
【図２】燃焼器具が未使用でダンパーが全開している状態の説明図
【図３】Ａ−Ａ′線断面図
【図４】ダンパーが閉じて立上げ排気管が排気通路として機能している状態の説明図
【符号の説明】
【００１８】
１  集合住宅
２  Ｕ型ダクト
３  仕切壁
４  給気通路
５  排気通路
６  壁
７  横引き排気管取付穴
１０  排気管
１１  横引き排気管
１１ａ  元
１２  立上げ排気管
１２ａ  排気トップ
１３  下端
１４  開口部
１５  ダンパー
１６  回転軸
１７  スプリング
１８  温度ヒューズ
２０  燃焼器具
２１  排気口
３０  給気管
【図１】
2007155178.tif 000003
【図２】
2007155178.tif 000004
【図３】
2007155178.tif 000005
【図４】
2007155178.tif 000006